(57)【要約】【課題】タイムコードジャンプが生じてもＶＴＲ側で独自に生成するタイムコードを素材データと常に同期させて表示する。【解決手段】収録時において、磁気テープから再生される映像／音声信号からなる素材データをＡＶサーバ３へ順次蓄積しつつ、素材データの記録開始位置におけるタイムコードを識別情報と関連付けて共に転送し、これらをデータベース５に記録する。そして編集時において、ＡＶサーバ３から送信される素材データに基づく映像と、記録装置から供給されるタイムコードとを、識別情報に基づき互いに同期させてＧＵＩ４１上に表示する。【選択図】  図１
2005006221.tif 000002
【特許請求の範囲】
【請求項１】
磁気記録媒体から再生される映像／音声信号からなる素材データを順次蓄積しつつ、上記素材データのタイムコードの不連続点を、上記素材データを構成する各フレームを識別するための識別情報と関連付けて共に転送するサーバと、
上記サーバから転送されるタイムコードを上記識別情報と関連付けて記録する記録装置と、
編集時において、上記サーバから送信される上記素材データに基づく映像と、上記記録装置から供給されるタイムコードとを、上記識別情報に基づき互いに同期させて表示画面上に表示する電子機器とを備えること
を特徴とする編集システム。
【請求項２】
上記電子機器は、上記タイムコードに基づいて編集開始位置を探索する探索手段をさらに備えること
を特徴とする請求項１記載の編集システム。
【請求項３】
上記電子機器は、上記表示画面上に表示するタイムコードとして、ＬＴＣ（Ｌｏｎｇｉｔｕｄｉｎａｌ  Ｔｉｍｅ  Ｃｏｄｅ）又はＶＩＴＣ（Ｖｅｒｔｉｃａｌ  Ｉｎｔｅｒｖａｌ  Ｔｉｍｅ  Ｃｏｄｅ）の何れかを選択するための選択手段をさらに備えること
を特徴とする請求項１記載の編集システム。
【請求項４】
上記電子機器は、上記素材データの上記サーバにおける蓄積開始時刻又はプリセット値より構成した他のタイムコードを生成し、上記生成した他のタイムコードを上記識別情報に基づき更に同期させて上記表示画面上に表示すること
を特徴とする請求項１記載の編集システム。
【請求項５】
磁気記録媒体から再生される映像／音声信号からなる素材データを順次蓄積しつつ、上記素材データのタイムコードの不連続点を、上記素材データを構成する各フレームを識別するための識別情報と関連付けて共に転送するデータ蓄積手段と、
上記データ蓄積手段から転送されるタイムコードを上記識別情報と関連付けて記録する記録手段と、
編集時において、上記データ蓄積手段から送信される上記素材データに基づく映像と、上記記録手段から供給されるタイムコードとを、上記識別情報に基づき互いに同期させて表示画面上に表示する表示制御手段とを備えること
を特徴とする編集装置。
【請求項６】
上記タイムコードに基づいて編集開始位置を探索する探索手段をさらに備えること
を特徴とする請求項５記載の編集装置。
【請求項７】
上記表示画面上に表示するタイムコードとして、ＬＴＣ（Ｌｏｎｇｉｔｕｄｉｎａｌ  Ｔｉｍｅ  Ｃｏｄｅ）又はＶＩＴＣ（Ｖｅｒｔｉｃａｌ  Ｉｎｔｅｒｖａｌ  Ｔｉｍｅ  Ｃｏｄｅ）の何れかを選択するための選択手段をさらに備えること
を特徴とする請求項５記載の編集装置。
【請求項８】
上記表示制御手段は、上記素材データの上記サーバにおける蓄積開始時刻又はプリセット値より構成した他のタイムコードを生成し、上記生成した他のタイムコードを上記識別情報に基づき更に同期させて上記表示画面上に表示すること
を特徴とする請求項５記載の編集装置。
【発明の詳細な説明】
【０００１】
【発明の属する技術分野】
本発明は、ビデオテープレコーダ（以下、ＶＴＲという。）等を用いた記録再生装置による映像／音声信号からなる素材データを編集する編集システム及び編集装置に関する。
【０００２】
【従来の技術】
近年において、パーソナルコンピュータ上でのグラフィカル・ユーザー・インターフェース（以下、ＧＵＩという。）を用いた編集システムが提案されている。特にディスク状記録媒体を用いたノンリニア編集システムでは、カメラ一体型ＶＴＲで撮影された映像／音声信号からなる素材データを先ず磁気テープ上に記録する。次に、この磁気テープ上に記録された素材データを、ハードディスクドライブ（ＨＤＤ）等により構成されるサーバへ蓄積してこれを編集する。
【０００３】
図６は、従来において提案されているノンリニア編集システム１００の具体的な構成例を示している（例えば、特許文献１参照。）。このノンリニア編集システム１００では、例えば磁気テープ上に記録された映像／音声信号からなる素材データを再生するＶＴＲ１０１と、このＶＴＲ１０１により再生された素材データを記憶する複数のＨＤＤから構成される記憶装置１０２と、ＶＴＲ１０１と記憶装置１０２とを制御するデバイスコントローラ１０３と、ＧＵＩモニタ１０６に映像信号の計算された結果を出力する制御装置１０４とを備えている。
【０００４】
また、このノンリニア編集システム１００では、デバイスコントローラ１０３からの信号が供給されて素材データを出力するプレビューモニタ１０５と、記録された素材データの編集を行う編集操作パネル１０７とを備えている。
【０００５】
以上のような構成からノンリニア編集システム１００において、デバイスコントローラ１０３は、編集操作パネル１０７の操作に応じて、制御信号をＶＴＲ１０１に供給することにより、磁気テープ上に録画／録音された素材データを再生し、この再生した素材データをデバイスコントローラ１０３を経由して記憶装置１０２に記憶させる。また、デバイスコントローラ１０３は、磁気テープに録画／録音された素材データのうち必要なものだけを記憶装置１０２上へ記録させる場合もある。
【０００６】
デバイスコントローラ１０３は、編集操作パネル１０７の操作に応じて、記憶装置１０２から記録された素材データをＧＵＩモニタ１０６又はプレビューモニタ１０５へ表示させる。
【０００７】
編集者は、編集操作パネル１０７をＧＵＩモニタ１０６又はプレビューモニタ１０５を見ながら操作することによって、必要なシーンの選択を行うことが可能となる。
【０００８】
【特許文献１】
特開２０００−６９３６２号公報
【０００９】
【発明が解決しようとする課題】
ところで、上述のノンリニア編集システム１００に代表されるＧＵＩを用いた編集システムでは、例えば図７に示すように、素材データに基づく映像を表示するビューワウィンドウ１１１と、このビューワウィンドウ１１１に表示される編集対象の映像の再生可能時間等を示すインフォメーションウィンドウ１１２によりＧＵＩの表示画面を構成する。
【００１０】
このインフォメーションウィンドウ１１２では、通常、記録開始位置を起点として線形的に増加するタイムコード（以下、内部生成タイムコードという。）が表示される。この内部生成タイムコードは、ＧＵＩを制御する制御装置１０４に相当する電子機器内で生成され、収録開始時刻、ＶＴＲ側で生成された独自のＬＴＣ（Ｌｏｎｇｉｔｕｄｉｎａｌ  Ｔｉｍｅ  Ｃｏｄｅ）やＶＩＴＣ（Ｖｅｒｔｉｃａｌ  Ｉｎｔｅｒｖａｌ  Ｔｉｍｅ  Ｃｏｄｅ）、更にはプリセット値の何れかより選択されて構成される。
【００１１】
ちなみに、この内部生成タイムコードを構成する場合には、電子機器が記録開始位置のタイムコードをＶＴＲへ問い合わせ、当該ＶＴＲから取得した記録開始位置のタイムコードを記憶しておき、編集時において上述した記憶装置１０２に相当するサーバから送信される素材データに基づく映像と、上記記憶した記録開始位置のタイムコードを線形に増加させて生成した内部生成タイムコードとを同期させ、ＧＵＩ上の表示画面に表示させる。
【００１２】
ところで、ＶＴＲ側において磁気テープ上に素材データを何回かに分割して記録するいわゆるつなぎ録りした場合において、ＶＴＲ側で独自に生成するタイムコード（以下、オリジナルタイムコードという。）は、新たにつなぎ録りする素材データの記録開始位置を起点とするため、タイムコードが不連続となるいわゆるタイムコードジャンプが生じる。
【００１３】
図８は、かかるオリジナルタイムコードの不連続性につき説明するための図である。この図８に示すように、記録開始位置ｆを１０：００：００として線形に増加する内部生成タイムコードに対して、オリジナルタイムコードは、タイムコードジャンプが発生する度に不連続となる。このため、ＧＵＩ上に表示される内部生成タイムコードと、このＶＴＲ内において独自に設定されるオリジナルタイムコードとの間にズレが生じてしまい、磁気テープ上に記録されるオリジナルタイムコードに基づいて編集開始点を探索することができないという問題点が生じる。
【００１４】
また編集時において、特にタイムコードの不連続点自体が編集ポイントとなるケースも多いが、かかるタイムコードの不連続点へ容易に到達できるようにすることにより、ユーザの労力を軽減させる必要もある。
【００１５】
そこで、本発明は上述した問題点に鑑みて案出されたものであり、ＶＴＲ側から供給される素材データをＧＵＩを用いて編集する編集システムにおいて、タイムコードジャンプが生じてもＶＴＲ側で独自に生成するタイムコードを上記素材データと常に同期させて表示することができる編集システム及び編集装置を提供することを目的とする。
【００１６】
【課題を解決するための手段】
本発明に係る編集システムは、上述の課題を解決するために、磁気記録媒体から再生される映像／音声信号からなる素材データを順次蓄積しつつ、上記素材データのタイムコードの不連続点を、上記素材データを構成する各フレームを識別するための識別情報と関連付けて共に転送するサーバと、上記サーバから転送されるタイムコードを上記識別情報と関連付けて記録する記録装置と、編集時において、上記サーバから送信される上記素材データに基づく映像と、上記記録装置から供給されるタイムコードとを、上記識別情報に基づき互いに同期させて表示画面上に表示する電子機器とを備える。
【００１７】
この編集システムは、収録時において、磁気テープから再生される映像／音声信号からなる素材データをサーバにより順次蓄積しつつ、上記素材データのタイムコードの不連続点を識別情報と関連付けて共に転送し、これらを記録装置に記録する。そして編集時において、サーバから送信される素材データに基づく映像と、記録装置から供給されるタイムコードとを、識別情報に基づき互いに同期させて表示画面上に表示する。
【００１８】
本発明に係る編集装置は、上述の課題を解決するために、磁気記録媒体から再生される映像／音声信号からなる素材データを順次蓄積しつつ、上記素材データのタイムコードの不連続点を、上記素材データを構成する各フレームを識別するための識別情報と関連付けて共に転送するデータ蓄積手段と、上記データ蓄積手段から転送されるタイムコードを上記識別情報と関連付けて記録する記録手段と、編集時において、上記データ蓄積手段から送信される上記素材データに基づく映像と、上記記録手段から供給されるタイムコードとを、上記識別情報に基づき互いに同期させて表示画面上に表示する表示制御手段とを備える。
【００１９】
この編集装置は、収録時において、磁気テープから再生される映像／音声信号からなる素材データをデータ蓄積手段により順次蓄積しつつ、上記素材データのタイムコードの不連続点を識別情報と関連付けて共に転送し、これらを記録手段に記録する。そして編集時において、データ蓄積手段から送信される素材データに基づく映像と、記録手段から供給されるタイムコードとを、識別情報に基づき互いに同期させて表示画面上に表示する。
【００２０】
【発明の実施の形態】
以下、本発明の実施の形態について図面を参照しながら詳細に説明する。
【００２１】
本発明は、例えば図１に示すような編集システムに適用される。この編集システム１は、例えば磁気テープ上に記録された映像／音声信号からなる素材データを一度ＨＤＤ等のノンリニアデバイスへ蓄積した後にこれらを編集するシステムであり、素材データを少なくとも再生する記録再生装置２と、この記録再生装置２により再生された素材データを記憶するハードディスクドライブ（ＨＤＤ）から構成されるＡＶサーバ３と、記録再生装置２並びにＡＶサーバ３を制御するための電子機器４と、上記素材データのタイムコード等を記録するデータベース５とを備えている。
【００２２】
記録再生装置２は、例えばＶＴＲ（Ｖｉｄｅｏ  Ｔａｐｅ  Ｒｅｃｏｒｄｅｒ）等により構成され、装着した磁気テープへ映像／音声信号に基づく素材データを記録する。また、この記録再生装置２は、上記電子機器４からの再生コマンドを受けて当該磁気テープに記録されている素材データを再生する。このとき記録再生装置２は、磁気テープ上に記録されている素材データのうち具体的に再生する素材データの範囲につき、電子機器４より指定される。記録再生装置２は、この指定された範囲にある素材データを順次読み出して、これをＡＶサーバ３へ送出する。
【００２３】
また記録再生装置２は、磁気テープに各フレームを記録する際に、図示しないタイムコード生成手段により生成したタイムコードを共に記録する。また、記録再生装置２は、磁気テープに記録される各フレームを識別するための識別情報を割り振る。この識別情報は、具体的には、磁気テープ上に記録し始めてから何フレーム目に該当するかという情報も含まれる。この記録再生装置２側で独自に生成されるタイムコードを、以下オリジナルタイムコードという。このオリジナルタイムコードでは、１本の磁気テープに対して素材データを何回かに分割して記録するいわゆるつなぎ録りする場合において、当該つなぎ録りする素材データの記録開始位置を新たに起点とするため、タイムコードが不連続となるいわゆるタイムコードジャンプが生じる場合がある。
【００２４】
ＡＶサーバ３は、記録再生装置２から送出された素材データを順次蓄積しつつ、オリジナルタイムコードを随時判別する。その結果、連続するフレーム画像間においてオリジナルタイムコードが不連続となる場合には、その不連続点を構成するオリジナルタイムコードを、上記識別情報と関連付けて電子機器へ転送する。またこのＡＶサーバ３は、編集時において、蓄積した素材データを電子機器４へ送信する。
【００２５】
電子機器４は、例えばパーソナルコンピュータ（ＰＣ）等により構成され、ユーザに対して素材データに基づく映像を表示するための表示画面を構成するグラフィカル・ユーザー・インターフェース（ＧＵＩ）４１と、ユーザ自身が入力操作を実行するための操作部４２とを備えている。電子機器４は、収録時において、ＡＶサーバ３からオリジナルタイムコードが識別情報と関連付けて転送された場合には、これらをデータベース５へ送出する。電子機器４は、編集時において、ＡＶサーバ３から送信される素材データと、データベース５から供給されるタイムコードとを識別情報に基づき互いに同期させてＧＵＩ４１上に表示する。
【００２６】
上述の構成からなる編集システム１における収録動作につき図２を用いて説明をする。先ずステップＳ１１において、電子機器４は、磁気テープ上に記録されている素材データのうち、再生してＡＶサーバ３に蓄積する素材データを指定する。この指定については、操作部４２を介したユーザによる操作に基づいて実行するようにしてもよく、例えば、タイムコードの何時何分何秒から何分間再生するか指定するようにしてもよい。また、磁気テープ上において現在停止している位置から何分間再生するか指定するようにしてもよい。電子機器４は、この指定した素材データの範囲を、記録再生装置２及びＡＶサーバ３へ通知する。
【００２７】
次にステップＳ１２へ移行し、記録再生装置２は、電子機器４からの指定に基づいて、磁気テープ上に記録されている素材データを読み出す。これによりステップＳ１１において指定された素材データが、磁気テープから順次読み出され、ＡＶサーバ３へ送信されていくことになる。
【００２８】
次にステップＳ１３へ移行し、ＡＶサーバ３は、電子機器４からの素材データの指定通知に並びに記録を開始する旨の通知を受けて、記録再生装置２から送信される素材データを順次蓄積する。このとき、ＡＶサーバ３は、入力される素材データの各フレーム画像に割り当てられたオリジナルタイムコードの連続性を随時判別する。このオリジナルタイムコードの連続性の判別は、例えば、記録再生装置２から順次供給される素材データを構成する各フレーム画像を抽出し、その抽出したフレーム画像に割り当てられたオリジナルタイムコードと、前後のフレーム画像に割り当てられたオリジナルタイムコードとを比較する。
【００２９】
次にステップＳ１４へ移行し、隣接するフレーム画像間に割り当てられたオリジナルタイムコードが不連続点である場合には、上述したタイムコードジャンプが生じているため、ステップＳ１５へ移行する。一方、連続するフレーム画像間においてオリジナルタイムコードが連続して増加している場合には、このステップＳ１３へ戻る。なお、指定された素材データ全てがＡＶサーバ３に記録された場合には、収録動作を終了させる。
【００３０】
ステップＳ１５へ移行した場合において、ＡＶサーバ３は、その不連続点上のオリジナルタイムコードを、上記識別情報と関連付けて電子機器４へ転送する。
【００３１】
次にステップＳ１６へ移行し、電子機器４は、ＡＶサーバ３からオリジナルタイムコードが識別情報と関連付けて転送された場合には、これらをデータベース５へ送出する。データベース５は、この送出されたオリジナルタイムコードを、識別情報と関連付けて記録する。その後、再びステップＳ１３へ移行して、ＡＶサーバ３による素材データの蓄積並びにオリジナルタイムコードの判別を実行する。ちなみに、指定された素材データ全てがＡＶサーバ３に記録された後において、データベース５には、記録を開始位置におけるオリジナルタイムコード及び不連続点におけるオリジナルタイムコードと、各オリジナルタイムコードに関連付けられた識別情報が記録されている状態となる。
【００３２】
次に、上述の構成からなる編集システム１における編集動作につき説明をする。
【００３３】
先ず電子機器４は、ＡＶサーバ３に蓄積されている素材データのうち、ＧＵＩ４１上に表示させて編集する素材データを指定する。この指定については、操作部４２を介したユーザによる操作に基づいて実行するようにしてもよく、例えば、タイムコードの何時何分何秒から何分間再生するか指定するようにしてもよい。電子機器４は、この指定した素材データを、ＡＶサーバ３並びにデータベース５へ通知する。
【００３４】
次にＡＶサーバ３は、電子機器４から通知される素材データに応じて、自身に蓄積されている素材データを電子機器４へ送信する。また、これと同時にデータベース５は、収録時に記録した不連続点におけるオリジナルタイムコードと識別情報を関連付けて電子機器４へ送信する。
【００３５】
電子機器４は、ＡＶサーバ３から送信される素材データと、データベース５から供給されるオリジナルタイムコードとをそれぞれ識別情報に基づき互いに同期させてＧＵＩ４１上に表示する。例えば図３に示すように、ＡＶサーバ３において素材データＢが記録されている場合には、０から線形に増加する番号等で表される識別情報に対応させてオリジナルタイムコードが与えられている。ちなみに、オリジナルタイムコードは、タイムコードジャンプが発生する度に不連続となり、この不連続点におけるオリジナルタイムコードと識別情報は、収録時において既にデータベース５上に記録されていることになる。
【００３６】
ちなみに、この識別情報は、素材データＢを構成する各フレームに対応しており、またオリジナルタイムコードにも関連付けられているため、電子機器４は、この識別情報を通じて素材データＢを構成する各フレームと、オリジナルタイムコードを同期させることが可能となる。
【００３７】
なお、不連続点におけるオリジナルタイムコードを取得することができれば、残りのタイムコードは、不連続点を起点として線形に増加させれば容易に生成することが可能となる。即ち、不連続点におけるオリジナルタイムコードを上記識別情報と関連付けて取得することができれば、素材データのあらゆる記録位置におけるフレームに対してオリジナルタイムコードを同期させることが可能となる。
【００３８】
ちなみにユーザは、上述した素材データを所望の記録位置から再生させて、これをＧＵＩ４１上に表示させることができる。例えば図３に示す編集開始位置ｑから再生を望む場合に、ユーザは操作部４２を介してその旨を入力する。電子機器４は、かかる操作部４２による入力を受けて、識別情報を手掛かりにオリジナルタイムコードを生成し、これを素材データに同期させてＧＵＩ４１上へ表示させることが可能となる。
【００３９】
図４は、編集時において、このＧＵＩ４１による素材データの各フレーム映像並びにオリジナルタイムコードの表示例を示している。この図４に示すように、ＧＵＩ４１の表示画面は、素材データに基づく映像を表示するビューワウィンドウ５１と、このビューワウィンドウ５１に表示される編集対象の映像についてのオリジナルタイムコードを少なくとも表示するインフォメーションウィンドウ５２より構成される。
【００４０】
このＧＵＩ４１を視認するユーザは、素材データに基づく映像を編集する際に、インフォメーションウィンドウ５２に表示されるオリジナルタイムコードを同時に視認することができる。このためユーザは、仮にタイムコードジャンプが生じても、記録再生装置２において生成されるオリジナルタイムコードを常時視認することができる。
【００４１】
なお、このインフォメーションウィンドウ５２に表示するオリジナルタイムコードとしてＬＴＣ（Ｌｏｎｇｉｔｕｄｉｎａｌ  Ｔｉｍｅ  Ｃｏｄｅ）又はＶＩＴＣ（Ｖｅｒｔｉｃａｌ  Ｉｎｔｅｒｖａｌ  Ｔｉｍｅ  Ｃｏｄｅ）の何れかを選択するようにしてもよい。このとき電子機器４は、このＬＴＣ又はＶＩＴＣの選択を操作部４２を介してユーザにより実行させるようにしてもよい。これにより、ユーザのニーズに合わせて、最適なタイムコードを表示させることができ、編集時の利便性を向上させることができる。
【００４２】
ちなみに、このインフォメーションウィンドウ５２では、図３に示す記録開始位置ｒを起点として線形的に増加するタイムコード（以下、内部生成タイムコードという。）を、オリジナルタイムコードと共に表示してもよい。この内部生成タイムコードは、あくまで電子機器４内で独自に生成するものであり、つなぎ録り等によるタイムコードジャンプが生じることなく、記録開始位置ｒから線形に増加してゆく。例えば図３に示すように、タイムコードジャンプが発生する度に不連続となるオリジナルタイムコードに対して、内部生成タイムコードは、記録開始位置ｒを１０：００：００とした場合に線形に増加してゆくことになる。ちなみに、記録開始位置ｒにおける内部生成タイムコードは、ＡＶサーバ４への収録開始時刻やプリセット値等で構成するようにしてもよい。
【００４３】
即ち、このインフォメーションウィンドウ５２上に、内部生成タイムコードを、オリジナルタイムコードと共に表示することにより、ユーザは、例えばＡＶサーバ４への収録開始時刻に基づいて編集点検索をすることが可能となる。
【００４４】
特にタイムコードの不連続点におけるフレームのスタンプ画像等を不連続点情報として保持しておき、編集時において、タイムコードの不連続点自体を編集点として検索することにより、かかる編集点のスタンプ画像をＧＵＩ４１上に表示させ、更にはこれをキューアップさせることも可能となる。また当該スタンプ画像を指定することにより、そのスタンプ画像に対応する不連続点へ瞬時にジャンプさせることも可能となる。
【００４５】
以上詳細に説明したように、本発明を適用した編集システム１では、収録時において、磁気テープから再生される映像／音声信号からなる素材データをＡＶサーバ３側で順次蓄積しつつ、素材データの記録開始位置におけるオリジナルタイムコードを識別情報と関連付けて転送し、これらをデータベース５に記録する。そして編集時において、ＡＶサーバ３から送信される素材データに基づく映像と、データベース５から供給されるオリジナルタイムコードとを、識別情報に基づき互いに同期させてＧＵＩ４１上に表示する。
【００４６】
これにより、本発明を適用した編集システム１では、タイムコードジャンプが生じてもオリジナルタイムコードを素材データと常に同期させて表示することができ、磁気テープ上に記録されるオリジナルタイムコードに基づいて編集開始点を容易に探索することができる。
【００４７】
なお、本発明は、上述した実施の形態に限定されるものではなく、例えば図５に示すような編集装置８に適用してもよい。この編集装置８は、記録再生装置２により再生された素材データを記憶するハードディスクドライブ（ＨＤＤ）８１と、記録再生装置２並びにＨＤＤ８１を制御するための制御部８２と、素材データのタイムコード等を記録する記録部８３とを備えている。
【００４８】
ＨＤＤ８１は、上述したＡＶサーバ３同様に、収録時において、磁気テープから再生される素材データを蓄積しつつ、素材データの記録開始位置におけるオリジナルタイムコードを識別情報と関連付けて転送する。
【００４９】
記録部８３は、上述したデータベース５と同様に、記録開始位置におけるオリジナルタイムコードを識別情報と関連付けて記録する。
【００５０】
制御部８２は、ＧＵＩ４１並びに操作部４２が接続されてなり、編集時において、ＨＤＤ８１から送信される素材データに基づく映像と、記録部８３から供給されるオリジナルタイムコードとを、識別情報に基づき互いに同期させてＧＵＩ４１上に表示させる。
【００５１】
即ち、上述した編集システム１における構成要素を、単一の装置内に構成した編集装置においても、上述と同様の効果が得られることになる。
【００５２】
【発明の効果】
以上詳細に説明したように、本発明を適用した編集システムは、収録時において、磁気テープから再生される映像／音声信号からなる素材データをサーバにより順次蓄積しつつ、素材データの記録開始位置におけるタイムコードを転送し、これらを記録装置に記録する。そして編集時において、サーバから送信される素材データに基づく映像と、記録装置から供給されるタイムコードとを、識別情報に基づき互いに同期させて表示画面上に表示する。
【００５３】
これにより、本発明を適用した編集システムでは、タイムコードジャンプが生じても記録再生装置側で独自に生成するタイムコードを素材データと常に同期させて表示することができる。
【００５４】
以上詳細に説明したように、本発明を適用した編集装置は、収録時において、磁気テープから再生される映像／音声信号からなる素材データをデータ蓄積手段により順次蓄積しつつ、素材データの記録開始位置におけるタイムコードを識別情報と関連付けて転送し、これらを記録手段に記録する。そして編集時において、データ蓄積手段から送信される素材データに基づく映像と、記録手段から供給されるタイムコードとを、識別情報に基づき互いに同期させて表示画面上に表示する。
【００５５】
これにより、本発明を適用した編集装置では、タイムコードジャンプが生じても記録再生装置側で独自に生成するタイムコードを素材データと常に同期させて表示することができる。
【図面の簡単な説明】
【図１】本発明を適用した編集システムの構成につき説明するための図である。
【図２】本発明を適用した編集システムの動作につき説明するためのフローチャートである。
【図３】素材データを構成する各フレームに対応した識別情報と各タイムコードにつき説明するための図である。
【図４】ＧＵＩによる素材データの各フレーム映像並びにタイムコードの表示例を示す図である。
【図５】本発明を適用した編集装置の構成につき説明するための図である。
【図６】従来において提案されているノンリニア編集システムの具体的な構成例を示す図である。
【図７】従来のＧＵＩによる素材データの各フレーム映像並びにタイムコードの表示例を示す図である。
【図８】オリジナルタイムコードの不連続性につき説明するための図である。
【符号の説明】
１  編集システム、２  記録再生装置、３  ＡＶサーバ、４  電子機器、５  データベース
【図１】
2005006221.tif 000003
【図２】
2005006221.tif 000004
【図３】
2005006221.tif 000005
【図４】
2005006221.tif 000006
【図５】
2005006221.tif 000007
【図６】
2005006221.tif 000008
【図７】
2005006221.tif 000009
【図８】
2005006221.tif 000010